Podtech/llm-jp-corpus-v4-ja_patent huggingface dataset:
(57)【要約】【課題】主に、飲酒運転の確認をするために携帯型のアルコール測定器で遠隔地から測定者が測定する場合に、測定結果が法律や規則で業務が遂行できない量が検出された場合に、測定者が結果を管理側へ送信することを恐れ、測定器を強制終了したり電源を切断したりする恐れがある。【解決手段】ネットワークに対応した携帯端末型のアルコール測定器、またはその結果を表示する表示機において、アルコールの測定結果を結果データ送信後に表示をする。【選択図】図３
2006146563.tif 000002
【特許請求の範囲】
【請求項１】
ネットワークに対応した携帯端末型のアルコール測定器、またはその結果を表示しネットーワークへ送信をする機器において、アルコールの測定結果を結果データ送信後に表示をする。GPSなどの地点位置情報が測位できるアルコール測定器、またはアルコール測定システムにおいて、地点位置情報をアルコールの測定結果と合わせて画面上に表示する。また、測定結果データに地点位置情報を付加してネットワークに送信する。ネットワークの受信側の表示で地点位置情報とアルコールの測定結果を合わせて画面上に表示する。測定結果データはアルコール測定結果以外に社員番号や測定日時、通信部個有の識別番号などを付加する。
【請求項２】
GPSなどの地点位置情報が測位できるアルコール測定器、またはアルコール測定システムにおいて、測定の目的が飲酒のチェックなどでその測定結果が法律や規則に違反していた場合に、位置情報が変化した場合、違反しているにもかかわらず移動を行っているという警告を表示部またはアルコール測定部に表示を行い、かつネットワークにその警告の送信を行う。
【発明の詳細な説明】
【技術分野】
【０００１】
本発明は、特に飲酒チェックを用途としたアルコール測定器において、飲酒状態の測定結果をネットワークを利用して管理側のコンピュータに結果を送信する形の測定器で、飲酒状態の測定結果が滞りなく送信される表示方法である。また、GPSなどの位置情報を検出する機能に対応している場合、その測位結果をアルコール測定結果と合わせて表示を行うことで飲酒チェックの正当性を高める。また、測定結果が法律や規則に違反していて位置情報が変化した場合、違反でありながら運行を行っている可能性があり、警告を測定器や管理側に表示することで危険から回避できる。
【背景技術】
【０００２】
ネットワークに対応した携帯型のアルコール測定器は商品の数は少ないものの、発明は数多く存在する。
【特許文献１】特願２００２−３８２２３４これらの発明を利用してアルコール測定を行った場合、通常は測定結果は測定後に表示をされる。この発明は測定結果をネットワークに正常に送信を行った後に測定結果を表示する表示方法についての発明である。また、アルコール測定結果と現在の位置情報を同時に表示または送信を行い、測定についての正当性を高める。さらに違反の結果が検出されているにもかかわらず移動した場合に警告を測定器に表示したりネットワークに送信を行い、安全性を高める。
【発明の開示】
【発明が解決しようとする課題】
【０００３】
主に、飲酒運転の確認をするために携帯型のアルコール測定器で遠隔地から測定者が測定する場合に、測定結果が法律や規則で業務が遂行できない量が検出された場合に、測定者が結果を管理側へ送信することを恐れ、測定器を強制終了したり電源を切断したりする恐れがある。この時に測定結果のデータが管理者側へ送信されなかったり、破損した形で認識できない状態で管理者側で受信されたりする可能性が発生する。この発明で測定者そのようなの行為で業務が円滑に進まなくなることや、記録が破損した形にならないように防止することができる。また、測定結果の表示や送信する結果データに位置情報を合わせることで飲酒チェックの正当性を高める。さらに測定結果が違反であった場合に位置情報が変化した時に警告を表示部で表示を行ったりネットワークに送信を行い安全性を高める。
【課題を解決するための手段】
【０００４】
対象のシステムは携帯型のアルコール測定器とその測定結果を逐次保存するコンピュータが、ネットワークや通信ケーブルを介して接続されるシステムで、アルコール測定器でアルコール濃度を測定後、測定結果のデータをコンピューターへ送信する。この時、アルコール測定器での濃度表示は測定結果のデータ送信後に表示を行い、それまでは濃度の表示をしない。
【発明の効果】
【０００５】
本発明により、アルコールの測定値が基準値以上の場合でも、測定者が危険を感じて勝手な操作をすることが無くなる。測定及び結果の送信が滞りなくスムーズに動くことでわずかではあるがシステム全体への負担を軽くすることができる。
【発明を実施するための最良の形態】
【０００６】
この発明に適用される物は、図１の構成でできているアルコール測定システムの「アルコール測定器」の部分で、図２のような構成のアルコール測定システムが対象となる。アルコール測定システムではあらかじめ社員番号や測定時間、現在位置情報などの情報が入力及び測位され、保持している。
【０００７】
測定者は図２の「アルコール測定部」でアルコールの測定を行う。測定結果は中央処理装置で送信形式に整形され、通信部からネットワーク網に送信される。送信されたデータは管理側で受信を行う。
【０００８】
図３はアルコールの測定から測定結果の表示までの流れ図である。まず、アルコールの測定が可能となった状態で、測定者がアルコールを測定する。測定が完了後、直ちに結果の送信を行い、送信が正常に完了をしたら測定結果を表示部に表示する。また図２の装置でGPSや携帯電話の基地局を使った位置検出など、地点位置が測定できる機構が備わっていた場合、測定前ないしは測定中に位置情報を測位しアルコールの測定結果と同時に位置情報も合わせて表示部に表示を行う。管理者側でも同様に測定結果と位置情報を同時に表示を行う。
【０００９】
アルコールの測定で測定の結果が規準値を越えていた（違反していた）場合、現在地の位置情報が変化した場合違反しているにもかかわらず運行（移動）を行っている危険性が高いので、警告を伝えるメッセージが表示部に表示される。またはネットワークに送信される。この流れ図を図４に示す。
【図面の簡単な説明】
【００１０】
【図１】アルコール測定システムの全体イメージ図
【図２】本実施形態のブロック構成図
【図３】本実地携帯の流れ図
【図４】測定の結果が基準値を超えていた場合の測定後の流れ図
【図１】
2006146563.tif 000003
【図２】
2006146563.tif 000004
【図３】
2006146563.tif 000005
【図４】
2006146563.tif 000006
(57)【要約】【課題】ローアングルでの撮影時に、カメラを地表面近くへの設置が簡単に出来、且つ、コンパクトで安定した撮影を提供する、カメラ用三脚である。【解決手段】本発明のカメラ用三脚を、図１に基いて説明する、図１の刺し込み脚の実施図に示すとおり、三脚台座１の三脚開閉部２に、ローアングルでの撮影時に土などの条件に合わせ、設置場所の傾斜やアングルの高低や凹凸のある場所など、撮影者の意図するアングルに設置することの出来る、刺し込み脚３を付けたことを特徴とする。特に三脚台座１と刺し込み脚３は、かさばらずコンパクトにまとめることが出来るので、移動の際の持ち歩きにも便利である。また、三脚台座１の三脚開閉部２に、第一段脚パイプ着脱部の雄ネジ９をつけたことで、ハイアングルでの撮影にも、簡単に対応出来ることを特徴とする。【選択図】図１
2006146114.tif 000002
【特許請求の範囲】
【請求項１】
三脚台座１の三脚開閉部２に、土などに刺し込み地表面近くにカメラを設置することを可能にする、刺し込み脚３を取付けたことを特徴とするカメラ用三脚。
【請求項２】
請求項１に記載の、刺し込み脚３を、設置する場所の土の硬さや、凹凸など土質の状況にあわせ、太さや長さの異なる、刺し込み脚３の装着交換が、簡単に出来ることを特徴とするカメラ用三脚。
【請求項３】
三脚台座１の三脚開閉部２に、ローアングル用刺し込み脚３の着脱部雌ネジ４、及び、ハイアングル用伸縮脚の第一段脚パイプ着脱部雄ネジ９を備えたことを特徴とするカメラ用三脚台座。
【請求項４】
三脚台座１の三脚開閉部２のハイアングル用伸縮脚第一段脚パイプ着脱部雄ネジ９に取付ける雌ネジ１６を備えた三脚台座用伸縮脚パイプ。
【発明の詳細な説明】
【技術分野】
【０００１】本発明は、ローアングルでの撮影を目的としたカメラ用三脚に関する。
【背景技術】
【０００２】従来の三脚でローアングルでの撮影をする場合、三脚を三方に開脚するための広いスペースを必要とし設置場所にもかなりの制約を受けることが多かった。（例えば、特許文献１参照）
【特許文献１】特開平８−２９７３２５号公報
【発明の開示】
【発明が解決しようとする課題】
【０００３】従来技術に係るカメラ用三脚で、ローアングルでの撮影をする場合は、三脚を三方に全開し、且つ、広いスペースを必要とし、設置する場所の傾斜や凹凸などのある場所で使用するには、不安定な状況が多くかなりの不便さを強いられていた。【０００４】本発明は、このような点に鑑みて成されたものであり、その目的は従来の三脚では成し得なかった地表面一杯まで下げたローアングルの設定や、さまざまな起伏のある地表面にも対応出来るようにすることである。
【課題を解決するための手段】
【０００５】上記の課題を解決するため、本発明のカメラ用三脚は三脚台座の三脚開閉部に、土などに刺し込みの出来る、刺し込み脚を着けたことを特徴とする。【０００６】撮影を行う場所の地形や土質の状況にあわせ、長短や太細の刺し込み脚を交換するだけで、簡単に、さまざまな撮影に対応出来る。
【発明の効果】
【０００７】以上説明したように、本発明のカメラ用三脚は、従来の三脚でローアングルでの撮影をする場合の設置方法とは大きく違い、三脚台座の三脚開閉部に刺し込み脚を着けることに依り、撮影場所の状況に合わせ、刺し込み脚を自由に刺し込むことが出来、傾斜のある場所や凸凹の所など、撮影者自身が意図する高さに自由にセットすることが出来る。【０００８】また、風やカメラのシャッター振動によるカメラ振れなども防止し、安定したローアングルでの撮影を提供出来る。【０００９】また、三脚台座、三脚パイプ、刺し込み脚は、着脱が容易に行えるため、器材もかさばらず、コンパクトにまとめることが出来、持ち歩く体力的な負担を軽減できる。【００１０】また、三脚台座の脚開閉部にハイアングル用の脚、第一段脚パイプの三脚パイプ着脱部ネジをつけたことに依り、ハイアングルの撮影にも、簡単に対応出来、地表面のローアングルからハイアングルに至る幅広い撮影環境を提供出来る。
【発明を実施するための最良の形態】
【００１１】本発明の実施の形態を図１〜図８に基づいて説明する。【００１２】本発明のカメラ用三脚は、図１に示すように、三脚台座１の脚開閉部２に刺し込み脚３を着けて、土などに刺し込み使用する。【００１３】刺し込み脚３を、撮影者が意図する位置の高さまで刺し込み、自由に刺し込み脚３の高さを調整することが出来、且つ、地表面の凹凸や傾斜地などのところにも、簡単に設置することが出来るため、迅速に、安定した撮影を提供出来る。【００１４】また、三脚台座１の脚開閉部２に、ハイアングル用の伸縮脚パイプ５を着けることに依り、ローアングル〜ハイアングルまで、幅広い用途に適応出来る、カメラ用三脚である。【００１５】また、刺し込み脚３を、カメラ設置場所の土質の状況にあわせ、太さや長さの違う脚を、簡単に交換することが出来るため、さまざまな設置方法を提供出来る。
【図面の簡単な説明】
【００１６】
【図１】刺し込み脚の実施図
【図２】三脚台座の断面図
【図３】三脚台座の正面図
【図４】刺し込み脚の正面図
【図５】三脚開閉部に刺し込み脚と伸縮脚パイプを収納した状態の断面図
【図６】三脚開閉部第一段脚パイプ着脱部雄ネジ用保護キャップ
【図７】三脚の伸縮脚パイプを収納した状態の図
【図８】三脚台座を下から見た図
【符号の説明】
【００１７】１    三脚台座
２Ａ、２Ｂ、２Ｃ、    三脚開閉部
３Ａ、３Ｂ、３Ｃ、    刺し込み脚
４Ａ、４Ｂ、４Ｃ、    三脚台座開閉部の刺し込み脚着脱部雌ネジ
５Ａ、５Ｂ、５Ｃ、    伸縮脚第一段脚パイプ
６    第二段脚パイプ
７    第三段脚パイプ
８    三脚台座カメラ固定ネジ穴
９Ａ、９Ｂ、９Ｃ、    三脚台座開閉部第一段脚パイプ着脱部雄ネジ
１０  カメラ
１１Ａ、１１Ｂ、１１Ｃ、  刺し込み脚雄ネジ
１２Ａ、１２Ｂ、１２Ｃ、  刺し込み脚ネジ止メ部
１３  三脚台座開閉部第一段脚パイプ着脱部雄ネジ用保護キャップ
１４  保護キャップ雌ネジ
１５  保護キャップの刺し込み脚ネジ止メ部用穴
１６  伸縮脚第一段脚パイプ着脱部雌ネジ
【図１】
2006146114.tif 000003
【図２】
2006146114.tif 000004
【図３】
2006146114.tif 000005
【図４】
2006146114.tif 000006
【図５】
2006146114.tif 000007
【図６】
2006146114.tif 000008
【図７】
2006146114.tif 000009
【図８】
2006146114.tif 000010
(57)【要約】【課題】  従来の看板のディスプレイ装置は背面に白熱灯や蛍光灯により照射する事であらかじめ描かれた文字・記号・図形などを表示していた。しかしこの方法ではカラー変化は勿論カラフルな表示方法が困難であった。加えて消費電力面でもかなりのコストを要していた。【解決手段】  ＬＥＤ光源を利用し透過光樹脂板に側面より照射する事であらかじめカットされた図形・文字・記号などを種々な状況にて表現するディスプレイ装置である。又反射板などの取り付けによって図形・文字・記号などを違った表現ができるようにした。加えて従来に無かった背面がそのままの状態で表現する事も可能にした。【選択図】  図１
2006146111.tif 000002
【特許請求の範囲】
【請求項１】
厚さが均一及び不均一な透過光樹脂版に側面からＬＥＤ（Ｌｉｇｈｔ  Ｅｍｉｔｈｉｎｇ  Ｄｉｏｄｅ  の略である）光源を照射することにより、樹脂板面上にあらかじめカット、クリア蛍光塗料を塗付した図形・文字・記号などをカラフルに表示をすることを特徴とするＬＥＤディスプレ装置でカラーコントロールが自在に出来る機能を有するＬＥＤディスプレ装置。
【請求項２】
前記のディスプレイ装置の光量不足を補う為に照射面以外の面に反射板を有することを特徴とする請求項１に記載のＬＥＤディスプレイ装置。
【請求項３】
前記のディスプレイ装置の蛍光塗料塗付による図形・文字・記号などの表示は紫外線を有するＬＥＤにおいて照射することを特徴とする請求項１、および請求項２、のＬＥＤディスプレイ装置。
【発明の詳細な説明】
【技術分野】
【０００１】ＬＥＤ（Ｌｉｇｈｔ  Ｅｍｉｔｈｉｎｇ  Ｄｉｏｄｅ  の略で以下同じ）の指向性および輝度を利用し、且つ厚さ均一または不均一な透過性樹脂板面上に広面積に低電力で表示できる装置。
【背景技術】
【０００２】従来の表示方法はあらかじめ表示面に図形・文字・記号などを描き背面に光源として蛍光灯や白熱灯を点灯する事で表示したがＬＥＤを用いる事により環境面では多種の虫類誘引をしないばかりでなく且つ省電力と自在なカラー表示が実現出来る技術を用いたＬＥＤディスプレイ装置は提供されていない。
【発明の開示】
【発明が解決しようとする課題】
【０００３】解決しようとする問題点は従来型の表示方法はあらかじめ表面に図形・文字・記号などを描き背面より白熱灯・蛍光灯などの照射で表示が容易に可能であった。【０００４】前記の白熱灯・蛍光灯などによる方法では虫などを誘引し電力消費がかさみ悪影響が懸念されるのでＬＥＤ光源により前記の問題点を解決し、経済的効果を得ることが出来る。又カラフルな表示方法を可能にしたＬＥＤディスプレイ装置は無かった。【０００５】前記の白熱灯・蛍光灯などによる方法では電源として太陽電池を使用する場合大型パネルとなり景観上又は充電方法としてバッテリーなどを使用する為に問題が多かった。
【課題を解決するための手段】
【０００６】本発明は厚さ均一又は不均一な透過光樹脂板に側面からＬＥＤ光源を照射することにより樹脂板面上にあらかじめカットされた図形・文字・記号などＬＥＤ指向性を生かし鮮明に表示する。【０００７】前記の方法でマイクロコンピュータ制御により自在なカラーコントロールを可能にしそのことでカラフルな表示が実現出来る。【０００８】前記の透過光樹脂板にあらかじめカットされた図形・文字・記号などに蛍光塗料を塗付し紫外線を有するＬＥＤで照射する事でのカラー表示も実現できる。【０００９】前記のディスプレイ装置の光量を補う為に照射面以外に反射板などを取り付ける事で図形・文字・記号などがクリアに表示できる。
【発明の効果】
【００１０】従来はあらかじめ表面に図形・文字・記号などを描き背面に光源として蛍光灯や白熱灯を点灯する事で表示していたが、本発明は透過光樹脂板に側面よりＬＥＤ光源で照射する事で図形・文字・記号などを立体的に表現できるし又背面をそのままの状況で透視して見る事ができる。又は背面にさまざまな物体を置く事で違った表現ができる事に加えて更に表示する色が自在にコントロールできる。
【発明を実施するための最良の形態】
【００１１】本発明の実施形態を図１〜図５に基づいて説明する。
【実施例】
【００１２】本発明は図１・図２に示すように文字・図形・記号などを連続して透過光樹脂板面にカットし側面よりＬＥＤ光源を照射するものである。【００１３】本発明は図３に示すようにＬＥＤを基板に取り付けカバー内に収納し防水加工を施し樹脂板側面に光源として取り付けるものである。【００１４】本発明は図４に示すようにＬＥＤ光源に輝度を増加させる為に反射板を取り付け且つ文字などをプリズムカットし光の屈折を利用するものである。【００１５】本発明は図５に示すように透過光樹脂板にカットした文字などを表示する為のコントロールシステムでありソーラーパネルを利用する場合はリチュームイオン電池に充電し且つ補助的に二重相コンデンサーを利用する。又交流電源でも操作できるようにした。加えてマイクロコンピュータ（ＣＰＵ）によってカラーを自在にコントロールできるようにした。
【産業上の利用可能性】
【００１６】この発明により従来になかった看板などが画期的な表現方法として提供できるものであり、更にＬＥＤ光源の特性であるわずかな電流で発光できる点からしてソーラーパネルとの組み合わせが従来以上に適合できる。又交流電源を利用する場合もかなりの省電力が計られる効果がある。
【図面の簡単な説明】
【００１７】
【図１】  本発明にかかわるＬＥＤの全体を示す概略図
【図２】  透過光樹脂板の表面に図形などをカットした状態にＬＥＤ光源を照射した図
【図３】  ＬＥＤ光源を樹脂板に取り付けた図
【図４】  透過光樹脂板にＬＥＤ光源が照射して屈折した状態を示す側面図
【図５】  本発明の装置全体を示すブロック図
【符号の説明】
【００１８】  １・・・透過光樹脂板（背景が透過して見る事もできる）
２・・・表面表示文字・記号・図形など（蛍光塗料塗布などでも良い）
３・・・ＬＥＤ光源
４・・・制御回路
５・・・太陽電池パネル
６・・・マイクロコンピューター
７・・・リチュームイオン電池
８・・・電気二重相コンデンサー
９・・・ＬＥＤ光源カバー
１０・・・反射板
１１・・・ＬＥＤ光源軌道
１２・・・ＬＥＤ基板
１３・・・プリズムカット
【図１】
2006146111.tif 000003
【図２】
2006146111.tif 000004
【図３】
2006146111.tif 000005
【図４】
2006146111.tif 000006
【図５】
2006146111.tif 000007
(57)【要約】      （修正有）【課題】高速再生時の音声の劣化を抑えながら、１チップマイコンを使用して音程を変えずに音声の高速再生を行うことができる安価な音声変換装置を提供する。【解決手段】音声を入力するマイクと、音声を出力するジャックと、入力された音声をデジタル音声データに変換するＡＤＣと、デジタル音声データを音声に再変換するＤＡＣと、デジタル音声データを記録するメモリーカードと、プログラムを実行する１チップマイコンと、アルゴリズムを記憶したプログラムメモリと、動作状態を表示する表示部と、使用者が動作を選択する操作部で構成され、デジタル音声データをブロック化し、ブロックごとに、デジタル音声データを重ね合わせ、再生時のサンプリング周波数を変化させることで、再生時の音声の劣化を抑えて滑らかな音声の高速再生を実現する。【選択図】図１
2006146110.tif 000002
【特許請求の範囲】
【請求項１】
等速を基準としてサンプリングされたデジタル音声データをブロック化し、ブロックごとにデジタル音声データの重ね合わせを行って、サンプリング速度を変化させて再生することにより、再生時の音声の劣化を抑えて原音の周波数を変えずに高速で音声を再生することを特徴とする音声の高速再生方法。
【請求項２】
前記の音声の高速再生を、安価な１チップマイコンを使用して実現する請求項１記載の音声変換装置
【発明の詳細な説明】
【技術分野】
【０００１】  本発明は音程を変えずに音声の高速再生を行う、音声変換装置に関する。
【背景技術】
【０００２】  従来、音程を変えずに音声の高速再生を行うには、音程が変わらない範囲でデジタル音声データを間引いて実現しているものもある（例えば、特許文献１参照。）。また、高性能のＤＳＰを使用してフーリエ変換などを行うことで実現しているものもある。【０００３】  前記従来の音程が変わらない範囲でデジタル音声データを間引く方法は、再生速度が上がるにつれて間引かれるデータの間隔が長くなり、再生した際の音声の劣化が激しくなってしまうという問題点を有していた。
【特許文献１】特開２０００−８９８００
【０００４】  また、前記従来のＤＳＰを使用してフーリエ変換などを行う方法は、高性能のＤＳＰや高速のメモリを必要とするため、装置が高価になってしまうという問題点を有していた。
【発明の開示】
【発明が解決しようとする課題】
【０００５】  本発明は、このような従来の手法が有していた問題を解決しようとするものであり、高速再生時の音声の劣化を抑えながら、１チップマイコンを使用して音程を変えずに音声の高速再生を行うことことができる安価な音声変換装置を実現することを目的とする。
【課題を解決するための手段】
【０００６】  本発明に係わる音声変換装置は、音声を入力するマイクと、音声を出力するジャックと、入力された音声をデジタル音声データに変換するＡＤＣと、デジタル音声データを音声に再変換するＤＡＣと、デジタル音声データを記録するメモリーカードと、プログラムを実行する１チップマイコンと、アルゴリズムを記憶したプログラムメモリと、動作状態を表示する表示部と、使用者が動作を選択する操作部で構成されている。
【発明を実施するための最良の形態】
【０００７】  以下、本発明の実施の形態を図１〜図３に基づいて説明する。【０００８】  図１は本発明の音声変換装置のブロック図である。マイクから入力された音声はＡＤＣによってアナログの音声信号からデジタル音声データに変換され、１チップマイコンに送られ、メモリーカードに記録される。【０００９】  メモリーカードに記録されたデジタル音声データは、音声変換装置の使用者が操作部から指示を与えることで１チップマイコンによりメモリーカードから取り出され、プログラムメモリに書き込まれているアルゴリズムに従って速度変換の処理が行われてＤＡＣに送られ、ＤＡＣによってデジタル音声データからアナログの音声信号に変換されてジャックより出力される。なお、表示部はこれらの動作状態の変移を表示する。【００１０】  次に、図２と図３により２倍速での再生を例にとり、本発明の音声の高速再生のアルゴリズムを説明する。【００１１】  図２−１は連続したデジタル音声データを、間引いても音程の変化が起こらない周期でブロック化した図であり、１ブロックには図２−２に示すように２５６ワードのデジタル音声データが含まれているものとする。【００１２】  この１ブロックに含まれている２５６ワードのデジタル音声データを、図２−３に示すように１ワードを２回重ねて並べ替える。このときオーバーフローした１２９〜２５６番目のデジタル音声データは切り捨てる。【００１３】  図２−３の１ワードを２回重ねて並べ替えられたデジタル音声データを、録音時と同じサンプリング周波数で再生すると、再生速度は１倍速のままで１オクターブ音程の下がった音声が再生される。ここで再生時のサンプリング周波数を２倍に上げると音程が元の高さに戻り、再生速度が２倍になって、音程を変えずに２倍速での再生を実現することができる。【００１４】  図３は従来の音程が変わらない範囲でデジタル音声データを間引く方法と本発明のアルゴリズムを比較した図である。【００１５】  従来の音程が変わらない範囲でデジタル音声データを間引く方法は、図３−１におけるＴの周期で斜線の箇所の、偶数のデジタル音声データのブロックが間引かれる。【００１６】  図３−２は、図２−３で示した１ワードのデジタル音声データを２回重ねて並べ替えたデーターブロックであり、各データーブロックは１２９〜２５６番目のデジタル音声データが切り捨てられている。この切り捨てられた音声データーの周期はＴ／２になる。【００１７】  図３−３は、図３−２のデジタル音声データのブロックを、サンプリング周波数を２倍にして２倍速で再生したときの図であり、再生速度が２倍になるため切り取られたデジタル音声データの周期はＴ／４となり、従来の音程が変わらない範囲でデジタル音声データを間引く方法と比べて１／４の周期でデジタル音声データを間引くことができ、再生時の音声の劣化を抑えて滑らかな音声の高速再生が可能となる。【００１７】  以上、２倍速での再生を例にとって説明したが、デジタル音声データの重ね合わせ方と再生時のサンプリング周波数の組み合わせで、様々な速度での音声の高速再生を行うことが可能となる。
【発明の効果】
【００１０】  上述したように本発明の音声変換装置は、従来の音程が変わらない範囲でデジタル音声データを間引く方法と比べて１／４の周期でデジタル音声データを間引くことが可能なため、再生される音声の劣化を抑えて滑らかな音声の高速再生が可能となる。また、アルゴリズムがシンプルであるため高性能のＤＳＰや高速のメモリを使用しなくても、安価な１チップマイコンを使用して音声変換装置を実現することが可能となる。
【図面の簡単な説明】
【００２０】
【図１】本発明の実施形態を示す音声変換装置のブロック図。
【図２】本発明の実施形態におけるアルゴリズムの、デジタル音声データの重ね合わせを説明するための図。
【図３】本発明の実施形態におけるアルゴリズムの、２倍速での再生を説明するための図。
【図１】
2006146110.tif 000003
【図２】
2006146110.tif 000004
【図３】
2006146110.tif 000005
(57)【要約】      （修正有）【課題】コンパクトに折りたため、カメラを容易に設置することのできるカメラ設置台を提供する。【解決手段】折りたたみ式でスリム・コンパクトなカメラ設置台の本体▲１▼の背後に脱着可能な吸盤▲４▼を設け、写真のタイマー撮影時にカメラ設置が容易で携帯も手軽にできる。【選択図】図１
2006146107.tif 000002
【特許請求の範囲】
【請求項１】
コンパクトに折りたため、携帯が手軽で写真のタイマー撮影時にカメラを容易に設置することを特徴とするカメラ設置台。
【請求項２】
前記のコンパクトに折りたため、携帯が手軽でカメラを容易に設置する為に設置台の背後に吸盤を設けた請求項１記載のカメラ設置台。
【発明の詳細な説明】
【技術分野】
【０００１】  この発明は、写真のタイマー撮影時に用いるカメラ設置台の形状に関する。
【背景技術】
【０００２】  従来の写真のタイマー撮影時にカメラを固定する為に用いるものは三脚等しかなかった。
【発明の開示】
【発明が解決しようとする課題】
【０００３】しかしながら、以上の技術によれば、三脚等は非常にかさばり、現在のカメラの軽量化、小型化が進むなかでつり合っていない。
そこで、この発明は、コンパクトに折りたため、カメラを容易に設置することのできるカメラ設置台を提供することを課題とする。
【課題を解決するための手段】
【０００４】  以上の課題を解決するために、第一発明は、コンパクトに折りたため、携帯が手軽で写真のタイマー撮影時にカメラを容易に設置することを特徴とするカメラ設置台である。
また第二発明は、コンパクトに折りたため、携帯が手軽でカメラを容易に設置する為に設置台の背後に吸盤を設けたことを特徴とするカメラ設置台である。
【発明の効果】
【０００５】  第一発明、または第二発明によれば、携帯が手軽な折りたたみ式でカメラを容易に設置する為に設置台の背後に吸盤を設けたので  コンパクトでスリムに携帯しやすく乗り物（車・電車・飛行機・船等）のガラス面の内外、塗装面や室内外のガラス面への設置も容易にできる。また、小型の鏡を使うことにより画面の確認ができる。
【発明を実施するための最良の形態】
【０００６】  この発明の一実施形態を、図１に示す。
カメラ設置台の本体▲１▼・カメラ台▲２▼とも、プラスチック、アルミニュウム製等の軽量な材料を用い、カメラ固定用ネジ▲３▼は、カメラ台▲２▼の溝に付け替え可能とする。本体▲１▼の背後に吸盤▲４▼を設ける。本体▲１▼・カメラ台▲２▼は角度の調整も可能である。（角度調整レバー▲５▼）【０００７】「実施形態の効果」
この実施形態によれば、折りたたみ式でコンパクトになるので携帯しやすい。そして、カメラ設置も容易である。【０００８】「他の実施形態」
【図面の簡単な説明】
【０００９】
【図１】この発明の一実施形態を示す姿図・断面図である。
【符号の説明】
【００１０】      ▲１▼  カメラ設置台本体
▲２▼  カメラ台
▲３▼  カメラ固定用ネジ
▲４▼  吸盤
▲５▼  角度調整レバー
【図１】
2006146107.tif 000003
【手続補正書】
【提出日】平成17年1月24日(2005.1.24)
【手続補正２】
【補正対象書類名】明細書
【補正対象項目名】全文
【補正方法】変更
【補正の内容】
【発明の詳細な説明】
【技術分野】
【０００１】  この発明は、写真のタイマー撮影時に用いるカメラ設置台の形状に関する。
【背景技術】
【０００２】  従来の写真のタイマー撮影時にカメラを固定する為に用いるものは三脚等しかなかった。
【発明の開示】
【発明が解決しようとする課題】
【０００３】  しかしながら、以上の技術によれば、三脚等は非常にかさばり、現在のカメラの軽量化、小型化が進むなかでつり合っていない。
そこで、この発明は、コンパクトに折りたため、写真のタイマー撮影時にカメラを容易に設置することのできるカメラ設置台を提供することを課題とする。
【課題を解決するための手段】
【０００４】  以上の課題を解決するために、第一発明は、コンパクトに折りたため、携帯が手軽で写真のタイマー撮影時にカメラを容易に設置することを特徴とするカメラ設置台である。
また第二発明は、コンパクトに折りたため、携帯が手軽で写真のタイマー撮影時にカメラを容易に設置する為に設置台の背後に吸盤を設けたことを特徴とするカメラ設置台である。
【発明の効果】
【０００５】  第一発明、または第二発明によれば、携帯が手軽な折りたたみ式で写真のタイマー撮影時にカメラを容易に設置する為に設置台の背後に脱着可能な吸盤を設けたのでコンパクトでスリムに携帯しやすく乗り物（車・電車・飛行機・船等）のガラス面の内外、塗装面や室内外のガラス面等の垂直面や床、テーブルの上等の水平面への設置も容易にできる。また、小型の鏡を使うことによりモニターの確認ができる。
【発明を実施するための最良の形態】
【０００６】  この発明の一実施形態を、図１・図２・図３に示す。
カメラ設置台の本体▲１▼・カメラ台▲２▼とも、プラスチック、アルミニュウム製等の軽量な材料を用い、カメラ固定用ネジ▲３▼（カメラ底面部の三脚穴を利用）は、カメラ台▲２▼の溝に付け替え可能とする。本体▲１▼の背後に脱着可能な吸盤▲４▼を設ける。本体▲１▼・カメラ台▲２▼は角度の調整も可能である。（角度調整つまみ▲５▼）折りたたみ収納時には吸盤▲４▼をはずし吸着部を内側にして鏡▲６▼を吸着させておく。カメラ固定用ネジ▲３▼を利用して本体▲１▼上に設けたネジ穴▲７▼に固定する。【０００７】「実施形態の効果」
この実施形態によれば、折りたたみ式でコンパクトになるので携帯しやすい。そして、写真のタイマー撮影時にカメラを容易に設置することができる。【０００８】「他の実施形態」
【図面の簡単な説明】
【０００９】
【図１】この発明の一実施形態を示す垂直面に設置時の姿図である。
【図２】この発明の一実施形態を示す水平面に設置時の姿図である。
【図３】この発明の一実施形態を示す折りたたみ収納時の断面図である。
【符号の説明】
【００１０】    ▲１▼  カメラ設置台本体
▲２▼  カメラ台
▲３▼  カメラ固定用ネジ
▲４▼  吸盤
▲５▼  角度調整つまみ
▲６▼  鏡
▲７▼  ネジ穴
【手続補正３】
【補正対象書類名】図面
【補正対象項目名】図１
【補正方法】変更
【補正の内容】
【図１】
2006146107.tif 000004
【手続補正４】
【補正対象書類名】図面
【補正対象項目名】図２
【補正方法】追加
【補正の内容】
【図２】
2006146107.tif 000005
【手続補正５】
【補正対象書類名】図面
【補正対象項目名】図３
【補正方法】追加
【補正の内容】
【図３】
2006146107.tif 000006
(57)【要約】      （修正有）【課題】連絡表をつくりその連絡表の通りにメールが届くようにする。【解決手段】メーリングリストの機能は、そのリスト名宛にメールをすると、リスト登録した人全員にメールが届く。その登録者の名前の中に他のメーリングリスト名を登録するとひとつのメーリングリストにメールをしただけでメールしたメーリングリストの他にも登録メーリングリスト宛にメールをしたこととなる。その登録メーリングリストにその他のメーリングリストを登録するとそのメーリングリストにもメールが届く。このようにリストを網の目のようにつなぐことがでる。この機能を使い連絡表に機能するようにメーリングリストを配置することで便利な連絡網を作ることができる。【選択図】なし【特許請求の範囲】
【請求項１】
メールリストやメーリングリスト等の連携による連絡網
【発明の詳細な説明】
【技術分野】
【０００１】通信
【背景技術】
【０００２】
【特許文献１】
【発明の開示】
【発明が解決しようとする課題】
【０００３】組合等の連絡にメールによる連絡をするとき
（以下組合を例に説明します）
メールリストをつくり登録者全員にメールを送信します
一度メールをすると
組合員全員にとどきます
地区ごとの連絡や、班ごとの連絡は
それぞれのメールリストが必要です
【課題を解決するための手段】
【０００４】メールリストを連絡網のように連携させます
【発明の効果】
【０００５】役員会（４）
班ごとの連絡（３）
組ごとの連絡（２）
全員の連絡（１）
各々が一度のメールで済みます
また各々のメールリストをメーリングリストにしておけば
役員の話し合い、班ごとの話し合い、組ごとの話し合い
全体での話し合いもできます
【発明を実施するための最良の形態】
【０００６】（図）
メールリストによる連絡表です
メールリストの連携方法は
メールの自動転送機能またはメーリングリストの送信機能を使用し
メールリストの名簿の中にその下にあたるメールリスト名をいれます
（１）の組合にメールをすると
組（２）役員（４）を通じ班と役員全員にメールが届きます
（２）の組に連絡をするとその組の班全体に届きます
（３）の班にメールをするとその班の人にだけメールが届きます
役員に連絡をするときは役員（４）にメールをすると三役（７）と常任（５）組長（６）に届きます
常任に連絡するときは常任（５）にメールをします
三役会をするときは三役（７）にめーるをします
また重複して同じ人が登録してあるときは
同じメールが２通３通と届かないようにしておいたほうがよいと思います
このように便利で分かりやすい連絡網を構築することができます
【実施例】
【０００７】
【産業上の利用可能性】
【０００８】メールによる連絡網
【図面の簡単な説明】
【０００９】連絡表
【符号の説明】
【００１３】１  組合
２  組
３  班
４  役員
５  常任
６  班長
７  三役
2006146857.tif 000002
(57)【要約】【課題】      結婚式を挙げる予定の結婚カップルが、好きな花を選べて、自分達の式で使用するその花が成長して行く様子を楽しめ、他の人とは違ったその人オリジナルを実現するためのインターネットを使った婚礼花のウエディングシステムに関する。【解決手段】  結婚式を挙げる予定の結婚カップルが使用するユーザー端末と、花を生産している農家のパソコン等の通信機器の端末とをインターネットで接続し、結婚式を挙げる予定の結婚カップルが自分達の式で使いたい花を選べる機能と、選んだ花が式の当日まで成長して行く様子を確認出来る機能を備えたことを特徴とする。【選択図】      図２
2006146854.tif 000002
【特許請求の範囲】
【請求項１】
結婚式を挙げる予定の結婚カップルが使用するユーザー端末と、花を生産している農家のパソコン等の通信機器の端末とをインターネットで接続し、結婚式を挙げる予定の結婚カップルが自分達の式で使いたい花を選べる機能と、選んだ花が式の当日まで成長して行く様子を確認出来る機能を備えたことを特徴とする、インターネットを使った婚礼花のウエディングシステム。
【発明の詳細な説明】
【発明の詳細な説明】
【技術分野】
【０００１】  本発明は、結婚式を挙げる予定の結婚カップルが、好きな花を選べて、自分達の式で使用するその花が成長して行く様子を楽しめ、他の人とは違ったその人オリジナルのウエディングを実現するためのインターネットを使った婚礼花のウエディングシステムに関する。
【背景技術】
【０００２】  従来の婚礼花は、式場で金額に応じてあらかじめ決められたものから選ぶ場合と、結婚式を挙げる人がフラワーコーディネーターと相談して、花の種類と色調を決める場合とがある。
【発明が解決しようとする課題】
【０００３】  従来の婚礼花の選定の場合、あらかじめ決められたパターンからしか花を選べない場合が多く、使用する花を選べることが出来た場合でも、どのようなデザインにするかを決めてしまったらそれっきりで、実際にどんな花が来るのかは、以前に他の結婚カップルが使用したものの写真や、雑誌の写真といったものでしか確認出来ないので、どの結婚式も使われる花はオリジナル性に欠けている。
結婚式を挙げる予定の人は、他人とは違ったオリジナルの結婚式を挙げたい人が増えているが、式場やコーディネーターは、市場に流通する花が一巡してしまったことにより、デザインによる違いを示したいが、デザインの違いを明確にする基準が難しいという問題を有している。
結婚式場側は、レストランでの挙式、庭園ウエディング等新たな形態での式が増えていて激戦状態であり、結婚予定カップルは複数の式場を仮押さえする人が多く、式場は仮予約をとってもらったとしても他の式場に本予約をとられてしまうことが多く、定期的に結婚予定カップルにコンタクトをとるために、多額の投資をして、エステ等のサービスを会場内に設けているところも増えている。
【０００４】  本発明は、結婚式を挙げる予定の結婚カップルが自分達の式で使いたい花を選べる場合が少ない事と、その婚礼花が結婚式の当日まで実物を確認できないという事態を解消し、結婚式場側では結婚予定カップルとのコンタクトの少なさによるキャンセルという事態を解消することの出来る、インターネットを利用した婚礼花のウエディングシステムを提供することを目的としている。
【課題を解決するための手段】
【０００５】  上記目的を達成する本発明はつぎの通りである。
結婚式を挙げる予定の結婚カップルのユーザー端末と、花を生産している複数の農家のパソコン等の通信機器手段とを、インターネットで接続し、このシステムを管理することによって、結婚カップルが自分達の式で使いたい花を選ぶことが出来るようになる花の選択手段を具備し、農家は花が成長して行く過程を定期的にデジタルカメラ等の撮影機器手段により撮影し、その画像をインターネットを通じて結婚カップルのユーザー端末に送信することで、自分達の式で使う花の成長を楽しみながら確認出来る手段とを具備したことを特徴とする、インターネットを使った婚礼花のウエディングシステム。
【発明を実施するための最良の形態】
【０００６】  発明の実施の形態を実施例にもとづき図面を参照して説明する。
（図１）ないし（図２）は本発明の概略図を示しており、結婚式を挙げる予定の結婚カップルのユーザー端末４と、複数の農家１０とをインターネット６で接続してインターネットを使った婚礼花のウエディングシステムに結ぶ。
（図４）は、結婚カップルが自分達が式で使う花の選択手段を示しており、結婚式を挙げる予定の結婚カップルが自分達の式で使いたい花の色の選択画面３０から使いたい花の色３１を選択し、その花の色をもつ種類の選択画面４０から使いたい花の種類４２を選択し、さらに花の品種の選択画面から使いたい品種５３を選択して使う花を決定する。
図４によって選ばれた花を栽培する、図２の結婚式を挙げる予定の結婚カップルの選んだ花を栽培する農家３は、結婚カップルの選んだ花１をデジタルカメラ等の撮影機器２で撮影した作物の成長して行く画像を、インターネット６を通じて結婚式を挙げる予定の結婚カップルのユーザー端末に送信する。
図３は結婚式を予定しているカップルのスケジュールの例であり、カップルのスケジュール１０５から１１１の進行に伴い、挙式当日１１１までの間定期的に画像を送信１０１、１０２、１０３、１０４してゆく、そして挙式に合わせて花を配送７して式場８に届ける。【０００７】  本発明によるインターネットを使った婚礼花のウエディングシステムによれば結婚式を挙げる予定のカップルは、自分の式で使いたい花を自由に選ぶ事ができるので、決められたパターンからしか花を選べないという事態を解消することができる。
定期的に花の成長してゆく画像が、農家から結婚カップルに送信されてくることによって、式で使う花がどのような形態なのかが確認できるとともに、式が近づくにつれて、花が大きくなってゆく臨場感を楽しむことができ、他の人とは違っう自分だけの花でのオリジナルウエディングを挙げることができる。
定期的な画像の送信により、結婚カップルとのコンタクトとがとれるので、式場のキャンセルを防ぐことができる。
【図面の簡単な説明】
【０００８】
【図１】  本発明に係わるインターネットを使った婚礼花のウエディングシステムの概略図である。
【図２】  本発明に係るインターネットを使った婚礼花のウエディングシステムの概略図である。
【図３】  本発明に係わるインターネットを使った婚礼花のウエディングシステムの花の選択画面図である。
【図４】  本発明に係わるインターネットを使った婚礼花のウエディングシステムのスケジュール図の例である。
【符号の説明】
【０００９】  １  結婚カップルの選んだ花
２  デジタルカメラとうの撮影機器
３  農家のパソコン等の通信機器
４  結婚式を挙げる予定の結婚カップル
５  インターネットを使った婚礼花のウエディングシステム
６  インターネット
８  式場
１０  複数の農家
３０  花の色の選択画面
４０  花の種類の選択画面
５０  Ｂ品種の選択画面
【図１】
2006146854.tif 000003
【図２】
2006146854.tif 000004
【図３】
2006146854.tif 000005
【図４】
2006146854.tif 000006
(57)【要約】      （修正有）【解決手段】防犯ベルと携帯電話を一体にしたことを特徴とする。【効果】防犯ベルト携帯電話が一体の為、単体の防犯ベルを探す必要が無くなる、防犯ベルが携帯電話に付属している為、常に形態電話は充電しているので単体の防犯ベルのように電池の放電する心配が少なくなる。その上、一度つながった電話は暗礁番号で設定した番号を解除しない限り、電話の電源を切っても通話が切れない。【選択図】図１
2006146853.tif 000002
【特許請求の範囲】
【請求項１】
携帯電話に防犯ベルの機能を付ける
【請求項２】
防犯ベルを押すと同時に任意に設定した電話番号につながり、解除しない以外、電源を切っても通話が切れない。
【発明の詳細な説明】
【発明が属する技術分野】
【０００１】  この発明は常に携帯できる防犯ベルに関する。［従来の技術］
【０００２】  従来の物を常に携帯するにはその物の置いた場所を常に把握する必要がある。毎日持参する時には常に居場所がわからなければならない。
【０００３】  防犯ベルは危険に会う時、あいそうな時に使用する、大きな音で近くの回りの外部に知らせるものである。
【０００４】  従来の物は非常時しか使用しないので、長期間電池が入ったままの状態である。［発明が解決しようとする課題］
【０００５】  この発明はこのような問題点を解決しようとするものであり、携帯電話に防犯ベルが付属する為、防犯ベルの所在を把握する必要が無くなる、また充電は常にしているので電池の残量をあまり心配する必要が無くなる。
【０００６】  防犯ベルの目的は大きな音で近くの回りの外部に知らせる事しか出来ないので、携帯電話の機能を使い、音を鳴らし、通話をつなぎっぱなしにする。［課題を解決するための手段］
【０００７】  上記目的に沿う本発明の構成は防犯ベルと携帯電話を一体にしたことを特徴とする。
【０００８】  ようするに本発明は防犯ベルと携帯電話を一体することによって常に携帯する事が可能となる。
【０００９】  上記目的に沿う本発明の構成は今までの防犯ベルのように乾電池が入りっぱなしの場合、乾電池が放電する心配がある、しかし、携帯電話は一般的に毎日充電する為、電池の残量の心配をする必要がない。
【００１０】今までの防犯ベルは大きな音で近くの回りの外部に知らせる事しか出来ない、本発明は携帯電話の防犯ベルのボタンを押すと同時に任意に設定した電話番号に自動的に電話をかける。    その上、一度つながった電話は暗証番号で設定した番号を解除しない限り、電話の電源を切っても通話が切れないようにした。
【００１１】  その上、一度つながった電話は暗証番号で設定した番号を解除しない限り、電話の電源を切っても通話が切れないようにした。［発明の実施するための最良の形態］次に、本発明の実施の形態を図面に基づいて説明する。［発明の効果］
【００１２】本発明によれば、  防犯ベルト携帯電話が一体の為、単体の防犯ベルを探す必要が無くなる、防犯ベルが携帯電話に付属している為、常に形態電話は充電しているので単体の防犯ベルのように電池の放電する心配が少なくなる。その上、一度つながった電話は暗礁番号で設定した番号を解除しない限り、電話の電源を切っても通話が切れないようにした。
【図面の簡単な説明】
【００１３】
【図１】本発明の斜視図
【符号の説明】
【００１４】１……・アンテナ２……・携帯電話本体３……・防犯ベルの２段階スイッチ４……・スピーカー
【図１】
2006146853.tif 000003
(57)【要約】【課題】マウス操作時の、手の湿気の不快を取り除くことを主にした方法はないか。また、コストが安く、交換するにも手間や時間がかからない方法はないか。さらに、無機的なパソコンの上で、使用者の個性を発揮するものはないかと考え、これを解決するため発明したものである。【解決手段】マウスの上に本発明の専用紙を置き、専用クリップでとめる。【選択図】図２
2006146852.tif 000002
【特許請求の範囲】
【請求項１】
コンピュータのマウスの上部及び側面を覆う、手指の湿気及び汚れを吸着するための交換式専用紙である。
【発明の詳細な説明】
【技術分野】
【０００１】  本発明は、マウスの使用時に、手指の汗や脂、汚れをとるための専用紙に関するものである。
【背景技術】
【０００２】  従来、マウスはそのまま使用するか、汚れや脂を防ぐマウスカバーが使用されていた。マウスカバーは、マウス本体に付く汚れを防止する考えで主に装着されており、長期専用的に使用し、毎日、交換しないため清潔とはいえず、コストが高く、また、交換するにも手間や時間がかかった。
さらに、従来のマウスカバーは手の湿気の不快を取り除くことを主にしていない。
マウスにウエア的交換式の専用紙を上に置き、毎日もしくは一日何回も交換する専用紙は従来なかった。
【発明の開示】
【発明が解決しようとする課題】
【０００３】  コンピュータの入力時に使用するマウスは、裸のままで使用するので、汗と脂で不快である。特に、湿気の多い日本ではマウスを使う手指の湿気が空気中への乾燥蒸発では解消はされにくく、手指のベタベタ感が問題である。
マウス操作時の、手の湿気の不快を取り除くことを主にした方法はないか。また、コストが安く、交換するにも手間や時間がかからない方法はないか。
さらに、無機的なパソコンの上で、使用者の個性を発揮するものはないかと考え、これを解決するため発明したものである。
【課題を解決するための手段】
【０００４】  マウスの上に、本発明の交換式専用紙を置き専用クリップでとめる。
また、本発明の機能が低下し、不快になったら一日何回でも交換する。本発明品は、テッシュペーパー、紙やスパンレース不綿布等で作成されているため安価で、色やデザインを考慮することにより使用者の個性を発揮できる。
【発明の効果】
【０００５】  マウスに本発明品である交換式専用紙を置くことにより、手の湿気及びベタベタ感の不快をすぐに取り除くことができる。また、本発明品は、安価ですぐに交換することができ、新しいものに交換することで不快感除去効果の向上が図られる。
本発明品は、色やデザインを考慮することにより、使用者の個性を発揮できる。
したがって、無機的なパソコンの上で唯一、使用者ひとりひとりの人間の個性を発揮できる部分、場所が生まれたことになる。
【発明を実施するための最良の形態】
【０００６】  本発明の実施の形態はつぎのとおりである。
図１のとおり、マウスに本発明品を被せ、専用のクリップでとめる。
本発明品はマウスの上面及び側面を覆う形を基本型とする。
本発明品の型は２種類ある。平面型のものと、カップ型のものである。
本発明品は、安価ですぐに交換することができるよう、水分を吸収発散しやすいテッシュペーパー、紙やスパンレース不綿布等で構成されている。
本発明品は、毎日もしくは一日何回も新しいものに交換することで不快感除去効果の向上が図られる。
【実施例１】
【０００７】  図２は本発明専用紙、平面使用の型の形である。本発明品は生地がテッシュペーパー、紙やスパンレース不綿布等で作成されているため、平面であっても使用によりマウスの型にすぐに整形される。平面使用の型は、使用時にマウスの後ろの生地がだぶついてしまうが、だぶつきにより生地が手のひらの汗を吸収しやすいため不快ではない。また、一部折込すると使用感が高まる。
マウスの大きさが、製造会社により異なるため、専用紙の大きさをそれぞれ個々に作成すると煩雑になる。利用者の利便性を考え、マウスの専用クリップ装着上の横幅とマウスの縦幅を基準として、号数をきめて、専用紙の大きさを決定する方法がよりよい。
【実施例２】
【０００８】  図３はカップ型である。カップ型のものは一部貼りあわせる。
この発明品のもう一つ特徴は、テッシュペーパー、紙やスパンレース不綿布等で構成されているためデザインがされやすいことである。本発明品は一枚もしくは二枚以上で構成されているので、一枚もしくはすべてに色やデザインを行ってもよく、多種多様のデザインが考えられる。
現在、画一的なパソコンで、使用者の個性を発揮できる部分は極めて少ない。人が服を着て個性を出しているごとく、本発明品により人間的個性をパソコンのマウス上で表現できる機能があれば、楽しみが広がる。
【実施例３】
【０００９】  図４は本発明品の平面型を一部変形させたものである。本発明品は手指のベタベタ感解消が主目的であるが、図４のとおり形を変えたりしてデザインを楽しむことができる。
【図面の簡単な説明】
【００１０】
【図１】本発明品とマウスクリップを使用してのマウスとともに示した実施形態斜視図
【図２】本発明品平面型平面図
【図３】本発明品カップ型平面図
【図４】本発明品平面変形型平面図
【符号の説明】
【００１１】    １  発明品本体
２  マウス本体
３  専用クリップ
４  デザイン
【図１】
2006146852.tif 000003
【図２】
2006146852.tif 000004
【図３】
2006146852.tif 000005
【図４】
2006146852.tif 000006